(57)【要約】劇場用照明器具は、照明器具ハウジングの外部から接近可能なランプソケット(54)を有する。ランプ(50)は、ベースと、ベースの一方の側に取付けられた電球(112)と、他方の側に取付けられた取っ手(118)を有する。取っ手(118)を掴み、ランプ(50)をソケット(54)に挿入する。ベースをソケット(54)に収納すると、電球(112)は、ソケット(54)を貫いて照明器具の中に延び、取っ手(118)は、照明器具の外部で依然として接近可能である。ランプ(50)は、片手で押して回す動作で取付けられ、ランプ(50)をその最終位置まで回すと、ベースのウイング(120)に取付けられた接点が、ソケット端子(154)に係合する。ランプ(50)の交換時に正確なランプ位置設定状態を保つために、ソケット(54)は、照明器具ハウジングに対して調節可能な支持体(62)に取付けられる。
2006506779.tif 000002
【特許請求の範囲】
【請求項１】
光源設置箇所を含む光学系を収容するハウジングを有する照明器具用のランプ組立体であって、
前記ハウジングによって支持され、光源設置箇所に向けられた内側フェース及び前記ハウジングの外部に向けられた外側フェースを有するソケット組立体と、
前記内側フェースと前記外側フェースの間を、前記ソケット組立体を軸線方向に貫いて延び、前記光源設置箇所に通じるランプ受入れ通路と、
前記内側フェースと前記外側フェースとの間を前記ランプ受入れ通路から延びる接点受入れキャビティと、
前記接点受入れキャビティ内に取付けられたソケット接点と、を有することを特徴とするランプ組立体。
【請求項２】
前記ランプ受入れ通路は、前記ハウジングの外部から接近できることを特徴とする請求項１に記載のランプ組立体。
【請求項３】
前記ランプを受入れ通路から半径方向に延びる１対の前記接点受入れキャビティを有し、前記接点受入れキャビティの各々は、前記ソケット接点を収容することを特徴とする請求項１に記載のランプ組立体。
【請求項４】
前記接点受入れキャビティ及び前記ソケット接点は、前記ランプ受入れ通路の直径方向両側に位置することを特徴とする請求項３に記載のランプ組立体。
【請求項５】
更に、ランプを有し、
このランプは、ベースと、前記ベースの一方の側から軸線方向に延びる光源と、前記ベースの他方の側に形成された取っ手とを有し、
前記ベースは、前記内側フェースと外側フェースとの間で前記ソケット組立体のランプ受入れ通路内に取付けられ、
前記光源は、前記光源設置箇所のところに配置されることを特徴とする請求項１に記載のランプ組立体。
【請求項６】
更に、前記ベースに取付けられ且つ前記接点受入れキャビティ内のソケット接点と係合するランプ接点を有することを特徴とする請求項５に記載のランプ組立体。
【請求項７】
更に、ランプを有し、
このランプは、ベースと、前記ベースの一方の側から軸線方向に延びる光源と、前記ベースの他方の側に形成された取っ手とを有し、
前記ベースは、前記内側フェースと外側フェースとの間で前記ソケット組立体のランプ受入れ通路内に取付けられ、
前記光源は、前記光源設置箇所のところに配置されることを特徴とする請求項１に記載  更に、前記ベースに取付けられ且つ前記接点受入れキャビティ内のソケット接点と係合する１対のランプ接点を有することを特徴とする請求項５に記載のランプ組立体。
【請求項８】
ハウジングを有する照明器具用のランプ組立体であって、
前記ハウジングによって支持されたソケットと、
ランプと、を有し、このランプは、ベースと、このベースの一方の側から軸線方向に延びる光源と、前記ベースの他方の側に取付けられた取っ手とを有し、
前記ソケットは、それを軸線方向に貫いてハウジングの内部まで延びる通路を有し、
前記通路は、前記ランプを取付け位置まで前記ソケットに挿入するときに前記光源を受入れるよう構成され、前記ベースは、前記ソケット内に受入れられ、前記ランプは、前記ソケットを越えて前記ハウジングの内部に延び、前記取っ手は、前記ハウジングの外部に向けられることを特徴とするランプ組立体。
【請求項９】
前記ソケットは、ソケット接点を有し、前記ベースは、ランプ接点を有し、前記ランプ接点は、前記取付け位置で前記ソケット接点に係合することを特徴とする請求項８に記載のランプ組立体。
【請求項１０】
前記ソケットは、前記光源及び前記ベースを受入れるよう構成された入口開口を有し、前記通路は、前記ベースの移動を阻止し且つ前記ベースを前記ソケット内に保持するために、前記入口開口よりも小さいことを特徴とする請求項８に記載のランプ組立体。
【請求項１１】
前記入口開口には、前記ベースに合うキー溝が形成されていることを特徴とする請求項１０に記載のランプ組立体。
【請求項１２】
前記ソケットは、ソケットハウジングを有し、このソケットハウジングは、前記ベースが前記入口開口に入った後に回転することを可能にするキャビティを有することを特徴とする請求項１１に記載のランプ組立体。
【請求項１３】
更に、前記ベースに取付けられたランプ接点と、前記キャビティ内に取付けられたソケット接点と、を有し、前記ランプ接点及び前記ソケット接点は、前記ベースの回転時に互いに係合可能であることを特徴とする請求項１２に記載のランプ組立体。
【請求項１４】
前記ベースは、半径方向に突出した１対のウイングを有し、前記入口開口は、前記ウイングを受入れる半径方向延長部を有することを特徴とする請求項１１に記載のランプ組立体。
【請求項１５】
前記ソケットは、ソケットハウジングを有し、このソケットハウジングは、前記ウイングを受入れる１対のキャビティを有し、この１対のキャビティは、前記ウイングが前記延長部を貫いて軸線方向に移動した後に前記ベースが回転することを可能にすることを特徴とする請求項１４に記載のランプ組立体。
【請求項１６】
更に、前記ウイングに取付けられたランプ接点と、前記キャビティ内に取付けられたソケット接点と、を有し、前記ランプ接点は、前記ウイングが前記延長部を貫いて軸線方向に移動した後、前記ソケット接点から間隔をおき、前記ベースが前記延長部を貫いて軸線方向に移動した後で前記ウイングが回転するとき、前記ソケット接点に係合することを特徴とする請求項１５に記載のランプ組立体。
【請求項１７】
前記ランプ接点は、前記光源から軸線方向に遠ざかる方向に向けられ且つ前記取っ手に向けられた前記ウイングの表面に取付けられることを特徴とする請求項１６に記載のランプ組立体。
【請求項１８】
前記ソケットは、ソケット支持板と、このソケット支持板に取付けられたソケットハウジングとを有し、前記ソケット支持板は、前記ソケットを前記ハウジングに対して位置決めするように前記ソケットハウジングに調節自在に取付けられることを特徴とする請求項８に記載のランプ組立体。
【請求項１９】
前記光源は、電球を含むことを特徴とする請求項８に記載のランプ組立体。
【請求項２０】
ハウジングを有する照明器具用のランプ組立体であって、前記ハウジングにより、それに収容された内部領域から照明器具の外部が分離され、
電球、ベース及び取っ手を有するランプと、
照明器具の内部領域に取付けられ且つ前記ベースを解放自在に受入れるソケットと、を有し、
前記電球は、前記ベースが前記ソケットに受入れられたとき、照明器具の内部領域に位置し、
前記取っ手は、前記ベースが前記ソケットに受入れられたとき、前記ソケットから外方に突出することを特徴とするランプ組立体。
【請求項２１】
前記電球は、前記ベースの第１の側にあり、前記取っ手は、前記ベースの反対側にあることを特徴とする請求項２０に記載のランプ組立体。
【請求項２２】
前記ソケットは、前記ハウジングに対して調節自在に取付けられたソケット支持板を有することを特徴とする請求項２０に記載のランプ組立体。
【請求項２３】
劇場用の照明器具用のランプであって、
ベースと、
前記ベースによって支持され、前記ベースの軸線方向第１の側から軸線方向に延びる光源と、を有し、
前記ベースは、少なくとも半径方向に前記光源よりも大きく、
更に、前記ベースの軸線方向第２の側に形成された取っ手を有することを特徴とするランプ。
【請求項２４】
前記ベース及び前記取っ手は、電気絶縁性耐熱材料の単一の一体キャリヤであることを特徴とする請求項２３に記載のランプ。
【請求項２５】
前記ベースは、全体として円筒形であり、前記取っ手は、前記ベースの表面に形成され且つ前記ベースを横切って直径方向に延びるリブであることを特徴とする請求項２４に記載のランプ。
【請求項２６】
前記リブは、前記ベースの直径を横切って延びる平らな表面を有し、この表面は、標識を表示することを可能にするのに十分な幅を有することを特徴とする請求項２５に記載のランプ。
【請求項２７】
前記ベースは、半径方向外方に延びるウイングと、このウイングに支持された電気ランプ接点と、を有することを特徴とする請求項２４に記載のランプ。
【発明の詳細な説明】
【技術分野】
【０００１】
本発明は、照明器具、例えば劇場用照明器具用のランプ組立体及びランプに関し、特に、迅速且つ容易なランプ交換を可能にするランプ組立体及びランプに関する。
【背景技術】
【０００２】
照明器具は、光を放出し又は投射するランプを有する照明器具である。本明細書で用いる「劇場用照明器具」は、娯楽及び建築用途、例えばステージ、スタジオ、建物、テーマパーク、教会、博物館、レストラン等のための劇場又は劇場のような照明効果を生じさせる照明器具を意味している。
【発明の開示】
【発明が解決しようとする課題】
【０００３】
照明器具用の光をもたらすために用いられるランプは、寿命が有限であり、定期的な交換を必要とする。大抵の照明器具では、多くの場合、ランプは、締結具又はランプ交換を億劫にするその他の構造部材によって照明器具の内部に取付けられている。例えば、技術者は、はしごを上り、照明器具の後ろに設けられたアクセスパネルを開き又は取外し、切れた状態のランプをそのソケットから外して取り出し、新品のランプを取付け、次にアクセスパネルを閉じる。ランプ交換手順は、時間がかかり且つ困難であり、工具を用い且つ／又は両手を用いなければならない場合が多い。これは、照明器具が到達困難な場所にあるとき又ははしごを用いる場合、特に望ましくない。劇場用照明器具のランプ交換は、迅速且つ容易であり、しかも素人によって行われても安全であることが特に望ましい。
劇場用照明器具は、通常、選択された標的又は領域に光の合焦ビーム等の特有のタイプ及び性質の光を投射するために用いられる。ランプを照明器具の光学系中の正確な場所に位置決めすることが照明器具、例えば劇場用照明器具の適正な性能を得る上で重要である。典型的には、かかる用途の照明器具は、ランプの位置決めのためにランプソケット位置を調節する機構を有する。ランプを交換するとき、正確なランプ位置を維持することが望ましい。いくつかの公知の照明器具では、ランプ交換後、ランプソケット位置を再調整することが必要である。
【０００４】
本発明の主目的は、照明器具用の改良型ランプ組立体及び改良型ランプを提供することにある。別の目的は、照明器具のランプ交換を外部から安全且つ容易に片手で行うことを可能にするランプ組立体及びランプを提供すること、ランプの再位置決めを必要することなしに照明器具のランプ交換を可能にするランプ組立体及びランプを提供すること、高電圧ランプの場合であっても、又は素人であっても、ランプ交換を安全にすること、特に劇場用照明器具に関し従来存在している問題を解決するランプ組立体及びランプを提供することにある。
【課題を解決するための手段】
【０００５】
本発明によれば、概略的には、光源設置箇所を備えた光学系を収容するハウジングを有する照明器具用ランプ組立体が提供される。ランプ組立体は、ハウジングによって支持され、光源設置箇所に向けられた内側フェース及び前記ハウジングの外部に向けられた外側フェースを有するソケット組立体を有する。ランプ受入れ通路が、内側フェースと外側フェースの間を、ソケット組立体を軸線方向に貫いて延び、光源設置箇所に通じている。接点受入れキャビティが、内側フェースと外側フェースとの間をランプ受入れ通路から延びている。ソケット接点が、接点受入れキャビティ内に取付けられている。
【０００６】
本発明の別の特徴によれば、概略的には、照明器具用のランプが提供される。ランプは、ベースを有する。光源が、ベースによって支持され、ベースの軸線方向第１の側から軸線方向に延びている。ベースは、少なくとも或る半径方向に光源よりも大きい。取っ手が、ベースの軸線方向第２の側に形成されている。
本発明の内容は上記目的及び利点並びに他の目的及び利点と共に、図面に記載した本発明の好ましい実施形態の以下の詳細な説明から最もよく理解できよう。
【発明を実施するための最良の形態】
【０００７】
次に図面を参照すると、図１及び図２は、全体を符号２０で示した本発明による照明器具を示し、この照明器具２０は、全体を符号２２で示す改良型ランプ組立体を備えている。照明器具２０は、劇場用照明器具であるが、本発明の特徴は、他形式の照明器具にも有用である。照明器具２０は、ハウジング２４を有し、このハウジング２４は、光出口開口２８を有する前側部分２６を備えている。図１で分かるように、ハウジング２４は、ヨーク３０によってパン可能に且つチルト移動可能に支持されている。ランプ組立体２２は、ハウジング２４の後側部分３２のところに取付けられ、所望の光ビームを選択的に形成する光源となっている。ハウジング２４は、光出口開口２８から放出された光ビームを標的又は領域、例えば、建物又はステージ等の一部に向けるよう動かされる。
【０００８】
ハウジング２４は、図３に示す下側ハウジング３４と、これと嵌合する、図４に示す上側ハウジングカバー３６とを有している。下側ハウジング３４は、照明器具２０の光学部品を支持して位置決めする光学レールとして役立つ剛性一体形の本体である。ランプ組立体２２は、光学部品のうちの１つであり、下側ハウジング３４に取付けられ且つこれによって位置決めされている。別の光学部品は、ランプ組立体２２とは別個に下側ハウジング３４に取付けられた状態でこれに位置決めされる反射器、即ち、レフレクタ３８（図８及び図１１参照）である。他の光学部品、例えばレンズ、ディフューザ、遮光板、絞り、シャッタ等（図示せず）も、下側ハウジング３４によって支持されている。１対のベイ（ｂａｙ）開口部４０が、下側ハウジング３４の下壁に形成されている。ベイ開口部は、モジュール式光学部品、例えば遮光板組立体、シャッタ、絞り等を受入れてもよいし、空のままにしておいてベイ開口部カバー４２（図２）によって閉鎖されてもよい。ハウジング２４の前側部分２６は、下側ハウジング３４と係合することにより位置決めされる前方ハウジング４４を支持し、この前方ハウジング４４は、光学部品、例えばゲルホルダ又はスクローラ等を備えるのがよい。
【０００９】
下側ハウジング３４をハウジングカバー３６と嵌合させた組立状態のハウジング２４は、照明器具の内部領域、即ち、チャンバ４６を構成し且つこれを包囲し、この内部領域４６を照明器具の外部から分離する。ヨーク３０は、例えば頭上ラック又はフレームへのクランプ固定により頭上に取付けることができるベース４８を有している。変形例として、照明器具２０を逆さまにし、ベース４８をフロア又は水平面上に配置し又は固定してもよいし、或いは、ベース４８を他の向きで他の支持体上に配置し又はこれに固定してもよい。
【００１０】
照明器具２０は、ハウジング２４の後側部分３２の近くに位置決めされたランプ５０（図２、図７、図８、図１１及び図１３参照）を有している。ランプ５０は、寿命が限られており、定期的な交換が必要である。加えて、依然として使用状態にあるランプを別の形式のランプに交換することが望ましい場合がある。多くの用途では、照明器具の後側部分３２に近づくことが困難な場合があり、近づくことができても、両手又は工具を用いてランプを交換することが困難、厄介又は恐らくは危険な場合さえある。本発明によれば、ランプ組立体２２により、ランプの取外し及び取付けを片手で行うことを可能にする。
【００１１】
概略的には、ランプ組立体２２は、ランプ５０に加えて、全体を符号５２で示すランプ位置決め組立体と、全体を符号５４で示すランプソケット組立体とを有している。ランプ位置決め組立体５２は、レフレクタ３８を含む光学系に対してランプ５０を光学的に正確な場所に正確に位置決めするように機能する。ランプソケット組立体５４は、ランプ５０を照明器具２０内に取外し可能に取付け、それにより、ランプ位置決め組立体５２の正確な設定を妨げないでランプ５０を交換することを可能にする。
【００１２】
ランプ組立体ハウジング５６が、ハウジング２４の後側部分３２の所定箇所に固着されている。位置決めシステムは、ランプ組立体ハウジング５６に取付けられている適当な締結具及びスタッド５８を含んでおり、下側ハウジング３４の上に配置されたレフレクタ３０及び他の光学部品に対してランプ組立体ハウジング５６を下側ハウジング３４の所定の位置に位置決めするために、締結具及びスタッド５８は、これと嵌合する下側ハウジング３４の開口６０に受入れられる。ランプソケット組立体５４は、ソケット支持板６２によって保持され、このソケット支持板６２は、ソケットに支持されたランプ５０をレフレクタ３８に対して位置決めするように、ランプ位置決め組立体５２によって位置決めされ且つ保持されている。
【００１３】
ランプソケット組立体５４の位置を調整できるようにするため、ソケット支持板６２は、内部領域４６内及びランプ組立体ハウジング５６の上を移動可能に取付けられている。ソケット支持板６２の上方位置決めタブ６４が、ランプ組立体ハウジング５６の内部のスタッド６８（図６及び図８参照）をゆるく受入れる大きめのスロット６６を有している。ソケット支持板６２の下側部分は、ランプ位置決め組立体５２によってランプ組立体ハウジング５６に調整可能に取付けられている。
【００１４】
ランプ位置決め組立体５２は、ねじ７０を有し、このねじ７０は、ソケット支持板６２の内面に押付けられる頭部７２を有している。ねじ７０のねじ山付きシャンク部（ｓｈａｎｋ）が、ソケット支持板６２に設けられた孔７４（図９参照）を貫通している。ねじ７０は、図１０で最もよく分かるように、割出し部材７８のハブ７６を摺動のための隙間が設けられた状態で貫くと共に、割出し部材７８のハブ７６のねじ山付き部分と一緒に、ライト組立体ハウジング５６に設けられた開口８０を貫通して照明器具２０の外部まで延びている。コイルばね８２が、ハブ７６の内端に配置され、割出し部材７８の本体部分８４とソケット支持板６２との間に圧縮状態で保持されている。摩擦パッド８６が、割出し部材７８とライト組立体ハウジング５６の内面との間に挟まれている。
【００１５】
照明器具ハウジング２４の外部において、半径方向、即ち、Ｘ−Ｙ方向調整ノブ８８が、その凹部９２内に雌ねじナット９０を支持している。雌ねじナット９０は、割出し部材７８のねじ山付きハブ７６にねじ込まれている。Ｘ−Ｙ方向調整ノブ８８の外部で、軸線方向、即ち、Ｚ方向調整ノブ９４が、ねじ７０の端部にねじ込まれている。
【００１６】
ランプ５０は、以下に説明するように、ランプソケット組立体５４内に取付けられている。ランプソケット組立体５４は、ソケット支持板６２によって支持されている。ランプ５０を照明器具のレフレクタ３８及び他の光学部品に対し適正な位置に位置決めするため、ソケット支持板６２の位置は、Ｘ−Ｙ方向調整ノブ８８及びＺ方向調整ノブ９４を用いて調整される。
【００１７】
ランプ５０を全体として照明器具２０の長手方向光軸線に沿って軸線方向、即ち、Ｚ方向に位置決めするため、Ｚ方向調整ノブ９４を回す。雌ねじナット９０の回転により、ねじ７０がソケット支持板６２と一緒にランプ組立体ハウジング５６に軸線方向に近づいたりそれから遠ざかったりするとき、コイルばね８２の圧縮により得られるは、ねじ７０が回転することを阻止する。コイルばね８２は、この移動を可能にするように縮んだり伸びたりする。組立体内における摩擦は、ばね８２によって得られた力と合わせてソケット支持板をその調整位置に維持するのに十分である。
【００１８】
通常、Ｘ−Ｙ方向調整ノブ８８は、ハブ７６に沿ってねじ込まれてランプ組立体ハウジング５６にぴったりと押付けられ、ランプ組立体ハウジング５６は、図８で分かるように、Ｘ−Ｙ方向調整ノブ８８と摩擦パッド８６との間にクランプ固定される。クランプ力により、ソケット支持板６２を静止状態に保持する。ソケット支持板６２を半径方向、即ち、Ｘ及び／又はＹ方向に調整するため、Ｘ−Ｙ方向調整ノブ８８をねじ戻してランプ組立体ハウジング５６から遠ざけてクランプ力を解除する。Ｘ−Ｙ方向調整ノブ８８をＸ及び／又はＹ方向に動かすことにより、ソケット支持板６２を今やＸ−Ｙ平面内で動かすことができる。これにより、ソケット支持板６２は、ランプ組立体ハウジング５４のスタッド６８がソケット支持板６２のスロット６６と嵌合している箇所を中心に回動する。ソケット支持板６２の移動は、ランプ組立体ハウジング５６の開口８０によって所望範囲に制限される。割出し部材７０の１対のアーム９６が、ソケット支持板６２の脚部９８をゆるく捕捉する。ソケット支持板６２及びランプ５０を正しく位置決めしたら、Ｘ−Ｙ方向調整ノブ８８を再び締め付け、ランプ位置決め組立体５２を定位置にクランプ固定する。
【００１９】
ランプ組立体２２により、ハウジング２４の内部４６と外部との間で相当多くの冷却用空気の流れが可能になる。ランプ組立体ハウジング５６の上側部分は、ポート１００及び照明器具ハウジング２４の内部領域４６内で前方に延びる冷却用空気ダクト１０２（図６参照）を備えている。加えて、ソケット支持板６２のスカート部分１０４が、ランプ組立体ハウジング５６に設けられたランプソケット接近開口１０８を定めるリム部分１０６とオーバーラップした状態でこれから間隔をおいて位置している。リム部分１０６とスカート部分１０４との間のスペースにより、広い断面積の冷却流れ通路１１０が構成される。冷却用空気ダクト１０２及びスカート部分１０４とリブ部分１０６とのオーバーラップは、冷却用空気通路を通るハウジング２４の内部領域４６からの光の逃げ出しを防止する。
【００２０】
ランプ５０は、図１３及び図１４で最もよく分かるように、キャリヤ１１４の内端部に取付けられた全体として円筒形の細長いバルブ、即ち、電球１１２を有している。ランプ５０は、電球１１２内に封入されたフィラメント又はフィラメントアレイを有する白熱ランプである。他の光源を有する他形式のランプを、電球１１２に置き換えて使用してもよい。キャリヤ１１４は、適当な電機絶縁性及び耐熱性材料、例えばセラミックで作られた一体形の本体であり、ソケット組立体５４内における電球の都合のよい片手による取付け及び取外しが可能な形状を有している。キャリヤ１１４は、全体として円筒形又は円板形の環状ベース部分１１６を有し、電球１１２が環状ベース部分１１６の内側から同軸に延びている。キャリヤ１１４の取っ手部分１１８が、電球１１２と反対側の環状ベース部分１１６の外側に形成されている。
【００２１】
取っ手１１８は、円板形のベース１１６の直径と一致した単一の細長いリブである。取っ手１１８は、電球１１２及びベース１１６の軸線と交差し、取っ手１１８の中心は、ベース１１６の中心に位置している。取っ手１１８は、その長さ全体を通じて一様な厚さのものであり、これが親指と人差し指との間に快適且つしっかりと保持されるように、約５〜２０ミリメートルの厚さを有している。取っ手１１８の平らな外面１１９は、ランプ５０を取付けたときに（図２参照）照明器具２０の外部に見える。印刷標識又はラベル等を表面１１９上に配置してユーザにランプに関する情報、例えばそのモデル番号、製造業者及び定格アンペア数、定格電圧及び（又は）定格ワット数等を提供するのがよい。
【００２２】
キャリヤ１１４は、ベース１１６の周囲に沿って且つ直径方向両側の箇所でベース１１６から半径方向外方に延びる１対の取付けウイング１２０を有している。好ましい形態では、取付けウイング１２０及び取っ手１１８は、ベース１１６の同一直径方向に沿って配置されている。取付けウイング１２０の軸線方向厚さは、ベース１１６の厚さよりも小さく、好ましくは、ベース１１６の厚さの約１／２又は１／２よりも僅かに小さい。ベース１１６は、電球１１２を支持する内面１２２を有し、取付けウイング１２０は、上記内面１２２と一致した内面１２４を有している。取付けウイング１２４の外面１２６は、湾曲していて凸状である。
【００２３】
各取付けウイング１２０は、ランプ５０を電源に接続するランプ接点１２８を支持している。ランプ接点１２８は、取っ手１１８と同じ方向に向き且つ電球１１２と反対の方向に向くように、取付けウイング１２０の外面１２０の上に位置している。ベース１１６の内面１２２は、一体の隔離碍子１３０を有している。ランプ接点１２８は、取付けウイングの外面１２６と同様、凸状に湾曲している。ランプ５０は、電球１１２内に設けられ且つ通常の電源電圧で動作するフィラメント又はフィラメントアレイを有する白熱ランプであるのがよい。変形例として、ランプ５０は、高電圧タイプのもの、例えば高電圧で動作する高輝度放電ランプであってもよい。ランプ接点１２８をベース１１６の直径方向両側の箇所に且つ広く間隔をおいた位置に配置することにより、ランプ接点１２８が互いに分離され且つ隔絶され、その結果、ランプ接点１２８が高電圧電源に順応することを可能にする。
【００２４】
ランプソケット組立体５４は、片手による取付け取外し操作でランプ５０を受取り、ランプ５０をしっかりと且つ安全に取付ける。ランプソケット組立体５４は、レフレクタ３８を含む照明器具２０の光学系に対してランプ５０を正確に位置決めできるようにソケット支持板６２によって支持されている。１対の取付けスタッド又は植え込みボルト１３２（図９参照）が、ソケット支持板６２の前側、即ち、内側の表面に形成されている。これらのスタッド１３２は、１対の絶縁板１３４の開口、ソケットハウジング１３６の開口及びソケット裏板１３８の開口を貫いている。図１１から分かるように、保持ワッシャ１４０は、絶縁板１３４、ソケットハウジング１３６及びソケット裏板１３８を組立状態で保持するように、スタッド１３２の内端部に押付けられている。ソケット支持板６２の内面に設けられた突起１４２が、絶縁板１３４の追加の開口１４４と嵌合してこれらを定位置に保持している。ソケット支持板６２の外面は、ソケット組立体５４の外向きの外側フェースを構成する。ソケット裏板１３８は、ソケット組立体５４の内向きの内側フェースを構成する。
【００２５】
ランプ組立体ハウジング５６のソケット出入り開口１０８から接近できるソケット支持板６２のキー溝付き開口は、円形の中央部分１４６と、ランプ５０の取付けウイング１２０を受入れる両側の延長部１４８とを有している。キー溝付き開口は、ランプ５０をソケット組立体５４に挿入するときのランプの姿勢を定める。キー溝付き開口の中央部分１４６は、電球１１２を受入れ、ソケットハウジング１３６は、ランプベース１１６がソケット組立体５４内に受入れられるときに電球１１２がソケット組立体５４を通過してレフレクタ３８内へ延びることを可能にする中央開口１４９を有している。中央開口１４９は、ベース１１６よりも半径方向に小さく、取付けウイング１２０に相当する延長部を備えていない。ランプ５０をソケット組立体５４内に取付けると、取付けウイング１２０を有するベース１１６は、中央開口１４９を通過することができない。ベース部分１１６、取付けウイング１２０及びランプ接点１２８は、電球１１２がソケット組立体５４を越えて内方に延びた状態でソケット組立体５４内に捕捉され、取っ手１１８は、露出し且つ照明器具の外部から接近可能である。
【００２６】
ランプ５０は、２段階操作、即ち、押して回す操作で取付けられる。絶縁板１３４とソケット裏板１３８との間に挟まれたソケットハウジング１３６は、ランプ５０をキー溝付き開口１４６の中を通して軸線方向に挿入するときに取付けウイング１２０及びランプ接点１２８を受入れる四分の一円形の両側１対の凹部１５０を有している。凹部１５０の半径方向に位置決めされた当接壁１５２により、ランプ５０を一方向（例えば図２の後ろから見て時計回り）に回すことができ、他方向へのランプの回転を阻止することができる。
【００２７】
打抜き加工されて成形された金属ソケット端子１５４が、ソケットハウジング１３６の凹部１５０に１つずつ受入れられている。各金属ソケット端子１５４は、内部接点１５６を有し、各内部接点は、ディンプル１５８又は他の保持突起と、噛合い式ランプ接点の係止部を構成するように上方に曲げられた端部フランジとを有しているのがよい。各金属ソケット端子１５４は、更に、ランプ５０の電源への接続のためにソケットハウジング１３６のチャネル１６１を通ってソケット組立体５４の外部に延びる外部接点１６０を有している。接点ばね１６２（図１１参照）が、絶縁板１３４とソケット支持板６２との間に圧縮されている。接点ばね１６２は、ソケット支持板６２に形成された着座部１６３（図９参照）に受入れられ、内部接点１５６をソケットハウジング凹部１５０内で軸線方向内方に弾性的に押圧するように、金属ソケット端子１５４の内部接点１５６と整列して保持されている。
【００２８】
照明器具２０のランプ５０を挿入し又は交換するために、照明器具ハウジング２４の内部領域４６に接近する必要がない。ランプ交換全体は、照明器具の外部から行われる。ユーザは、ランプ取っ手１１８を片手の親指と人差し指との間に掴む。ユーザの別の片手は、自由である。次に、ランプ５０をソケット支持板６２のキー溝付き開口１６０中へ軸線方向に挿入する。取付けウイング１２０は、延長部１４８の中を通り、ソケットハウジング１３６の四分の一円形の凹部１５０内へ移動する。ランプベース１１６の隔離碍子１３０は、その底部が凹部１５０の底壁１６４に当接し、ランプ５０をソケット組立体５４内で軸線方向、即ち、Ｚ方向に位置決めする。取付けウイング１２０は、凹部１５０の弧状の外壁１６６内に捕捉され、ランプ５０をソケット組立体５４内で半径方向、即ち、Ｘ及びＹ方向に位置決めする。
【００２９】
ランプ５０がソケットハウジング１３６内で突き当たったら、ランプ５０を回してランプ接点１２８を移動させ、ランプ接点１２８をソケット端子１６４の内部接点１５６に係合させる。ランプ接点１２８及び内部接点１５６は、こすり動作で互いに係合し、ランプ接点１２８は、その最終位置においてディンプル１５８によって保持される。ランプ接点１２８及びウイング表面１２６の凸状且つ丸み付きの形状により、ランプ接点１２８は、ディンプル１５８を横切って移動することができると共に、ランプ５０が定位置に保持される際にディンプル１５８と協働する。接点ばね１６２は、ランプ接点１２８と内部接点１５６との係合状態を弾性的に維持し、更に、隔離碍子１３０が底壁１６４と係合した状態でランプを突き当たり位置に保持する。ランプ５０は、接点ばね１６２の力によって付勢されたディンプル１５８によってしっかりと保持され、ソケット組立体５４から偶発的には抜け出ることができない。
【００３０】
ランプの取外しは、片手で同様な仕方で行われる。取っ手１１８を掴んで、ランプ保持力に打ち勝つように回して、取付けウイング１２０を移動させ、延長部１４８と整列させる。次いで、ランプ５０を照明器具２０から軸線方向に引き抜く。ランプ５０を取付けたり取外したりするとき、ランプ接点１２８を十分に回転させて取付けウイング１２０が凹部１５０内且つ絶縁板１３４の下に位置するまで、ソケット接点１５６に係合しない。ランプ５０を取外す前に、ランプ５０を電源から切り離す。たとえ高圧ランプであっても、追加の安全インターロック又はスイッチ等は不要である。ユーザが電源又はソケット端子１５４と電気的接触状態にある接点又は他の導電性要素と接触する機会がないので、この安全性の特徴により、素人によるランプ交換が可能になる。
【００３１】
ランプ５０を交換するとき、ランプ位置決め組立体５２を用いて新品のランプ５０を再位置決めすることは不要である。新たに取付けられるランプは、ソケット組立体５４と嵌合することにより位置決めされ、ソケット組立体５４は、予め位置決めされたソケット支持板６２によって支持される。既存のランプ位置は、ランプ５０の取外し及び別のランプ５０の取付けによって乱されることはない。
本発明を図示の本発明の実施形態の細部を参照して説明したが、これら細部は、特許請求の範囲に記載された本発明の範囲を限定するものではない。
【図面の簡単な説明】
【００３２】
【図１】本発明によるランプ組立体を備えたヨーク付き劇場用照明器具の正面、平面及び側面からの斜視図である。
【図２】照明器具の背面、側面及び底面からの斜視図である。
【図３】照明器具のベースハウジングの背面、側面及び底面からの斜視図である。
【図４】照明器具のハウジングカバーの背面、側面及び底面からの斜視図である。
【図５】ランプを省略した照明器具のランプ組立体の背面及び側面からの斜視図である。
【図６】ランプを省略したランプ組立体の正面及び側面からの斜視図である。
【図７】ランプ組立体の平面、側面及び背面からの分解斜視図である。
【図８】ランプ組立体のランプ調整機構を示す、図２の線８−８におけるランプ組立体の断面図である。
【図９】ランプ組立体のソケット支持板の正面及び側面からの斜視図である。
【図１０】ランプ組立体の割出しハブの平面、正面及び側面からの斜視図である。
【図１１】ランプ組立体のランプソケット組立体を示す、図８の線１１−１１における断面図である。
【図１２】ランプソケット組立体のランプソケットハウジング及びランプソケット端子の正面及び平面からの分解斜視図である。
【図１３】ランプ組立体のランプの背面及び側面からの斜視図である。
【図１４】ランプ組立体のランプの側面図である。
【図１】
2006506779.tif 000003
【図２】
2006506779.tif 000004
【図３】
2006506779.tif 000005
【図４】
2006506779.tif 000006
【図５】
2006506779.tif 000007
【図６】
2006506779.tif 000008
【図７】
2006506779.tif 000009
【図８】
2006506779.tif 000010
【図９】
2006506779.tif 000011
【図１０】
2006506779.tif 000012
【図１１】
2006506779.tif 000013
【図１２】
2006506779.tif 000014
【図１３】
2006506779.tif 000015
【図１４】
2006506779.tif 000016
【国際調査報告】
2006506779.tif 000017